(57)【要約】【課題】既設の引き違い開閉式サッシに対し容易に後付けできるものでありながら、サッシ全閉位置でのクレセントを掛止位置で確実かつ堅固にさらに電動ロックすることができる防盗性に優れたサッシクレセント回転防止型後付け電動補助錠装置を提供することにある。【解決手段】クレセント掛止部材に掛止したクレセントの操作レバー部に沿って当該クレセントの掛止解除方向への回転を阻止すべく前記操作レバー部に干渉係合する係合位置およびその係合位置から後退する係合解除位置とに移動可能な閂と、この閂を前記操作レバー部に対する係合位置と係合解除位置とに動力伝達機構を介して昇降駆動する電動モータとからなるものである。【選択図】        図１
2004316172.tif 000002
【特許請求の範囲】
【請求項１】
引き違い開閉式サッシを全閉位置でロックするクレセントの掛止解除方向への回転を阻止するサッシクレセント回転防止型後付け電動補助錠装置であって、
クレセントを有する側のサッシ枠に後付け固定された補助錠取付部材と、この補助錠取付部材に組み付けられた電動補助錠機構とを備え、その電動補助錠機構は、クレセント掛止部材に掛止したクレセントの操作レバー部に沿って当該クレセントの掛止解除方向への回転を阻止すべく前記操作レバー部に干渉係合する係合位置およびその係合位置から後退する係合解除位置とに移動可能な閂と、この閂を前記操作レバー部に対する係合位置と係合解除位置とに動力伝達機構を介して昇降駆動する電動モータとからなることを特徴とするサッシクレセント回転防止型後付け電動補助錠装置。
【請求項２】
電動モータは遠隔操作可能となっていることを特徴とする請求項１記載のサッシクレセント回転防止型後付け電動補助錠装置。
【請求項３】
電動モータはギヤモータからなり、このギヤモータで回転駆動されるスクリューロッドに閂が螺合されていることを特徴とする請求項１また請求項２記載のサッシクレセント回転防止型後付け電動補助錠装置。
【請求項４】
クレセント掛止部材に対するクレセントの掛止を検知して当該クレセントとの干渉方向に閂を昇降駆動すべく電動モータを起動させるクレセント位置確認センサを備えていることを特徴とする請求項１から請求項３のうちのいずれか１項記載のサッシクレセント回転防止型後付け電動補助錠装置。
【請求項５】
クレセントの操作レバー部に対する閂の係合位置および係合解除位置でＯＮ動作して電動モータを自動停止させるモータ停止スイッチを備えていることを特徴とする請求項１から請求項４のうちのいずれか１項記載のサッシクレセント回転防止型後付け電動補助錠装置。
【発明の詳細な説明】
【０００１】
【発明の属する技術分野】
この発明は、引き違い開閉式サッシのクレセントを掛止位置でさらに電動ロックするサッシクレセント回転防止型後付け電動補助錠装置に関するものである。
【０００２】
【従来の技術】
一般に引き違い開閉式サッシの防犯用ロック装置として、サッシ全閉位置で互いに隣接するサッシ縦枠のうち、一方のサッシ縦枠にクレセントを取り付け、他方のサッシ縦枠にクレセント掛止部材を取り付けることによる所謂クレセント構造のものは周知である。
しかるに、盗犯の侵入は、窓サッシからの侵入が犯罪の約６０％を占めている。これは窓ガラスを破ることでクレセントを簡単に回されてしまうためである。そこで、窓用補助錠を使用して防犯するが、この場合、１つの窓サッシに２つ以上の補助錠を取り付けて防犯対策としているのが実状である。
【０００３】
なお、上記先行技術は一般に知られた周知の技術であって、文献公知発明に係るものではない。
【０００４】
【発明が解決しようとする課題】
しかしながら、上述のような窓用補助錠による防犯対策では、１つの窓サッシに２つ以上の補助錠を必要とするため、窓数が多い家屋では数多くの補助錠を取り付けなければならず、その取付作業が大変になるという課題があった。また、前記補助錠の取り付けに際しては、サッシ枠等に加工を施すことも多く、その加工に手数を要し補助錠を簡単に取り付けることができない場合が多いという課題があった。さらに、従来の補助錠は、手が不自由な人達が簡単に施錠・解錠できるものが少ないという課題があった。さらに、従来の補助錠はサッシクレセントと関係ない位置に取り付けられるものが殆どであり、したがって、補助錠の設置位置が判明すると、窓ガラスの一部を破るだけで補助錠が簡単に取り外されたり壊されたりするという課題があった。さらに、従来の補助錠はＩＴ制御に適さないという課題があった。
【０００５】
この発明は上記のような課題を解決するためになされたもので、既設の引き違い開閉式サッシに対し容易に後付けできるものでありながら、サッシ全閉位置でのクレセントを掛止位置で確実かつ堅固にさらに電動ロックすることができる防盗性に優れたサッシクレセント回転防止型後付け電動補助錠装置を提供することを目的とする。
【０００６】
また、この発明は、クレセントの電動ロックおよびロック解除をリモコン操作で行うことができてＩＴ制御に対応できると共に、通常のクレセント操作も何ら支障なく行うことができるサッシクレセント回転防止型後付け電動補助錠装置を提供することを目的とする。
【０００７】
【課題を解決するための手段】
この発明に係るサッシクレセント回転防止型後付け電動補助錠装置は、引き違い開閉式サッシのクレセントを有する側のサッシ枠に後付け固定された補助錠取付部材と、この補助錠取付部材に組み付けられた電動補助錠機構とを備え、その電動補助錠機構は、クレセント掛止部材に掛止したクレセントの操作レバー部に沿って当該クレセントの掛止解除方向への回転を阻止すべく前記操作レバー部に干渉係合する係合位置およびその係合位置から後退する係合解除位置とに移動可能な閂と、この閂を前記操作レバー部に対する係合位置と係合解除位置とに動力伝達機構を介して昇降駆動する電動モータとからなるものである。
【０００８】
この発明に係るサッシクレセント回転防止型後付け電動補助錠装置は、閂を駆動する電動モータが遠隔操作可能となっているものである。
【０００９】
この発明に係るサッシクレセント回転防止型後付け電動補助錠装置は、閂を駆動する電動モータがギヤモータからなり、このギヤモータで回転駆動されるスクリューロッドに閂が螺合しているものである。
【００１０】
この発明に係るサッシクレセント回転防止型後付け電動補助錠装置は、クレセント掛止部材に対するクレセントの掛止を検知して当該クレセントとの干渉方向に電動閂を駆動すべく電動モータを起動させるクレセント位置確認センサを備えているものである。
【００１１】
この発明に係るサッシクレセント回転防止型後付け電動補助錠装置は、クレセントの操作レバー部に対する閂の係合位置および係合解除位置でＯＮ動作して電動モータを自動停止させるモータ停止スイッチを備えているものである。
【００１２】
【発明の実施の形態】
以下、この発明の実施の一形態を説明する。
実施の形態１．
図１はこの発明の実施の形態１によるサッシクレセント回転防止型後付け電動補助錠装置を備えた引き違い開閉式サッシを示す正面図、図２（Ａ）は図１中の電動補助錠装置の筐体を断面して内部機構を表出させた拡大構成説明図、図２（Ｂ）は図２（Ａ）の側面図、図３は図２中の電動モータを閂から分離した状態を示す断面図、図４は図３の縦断側面図、図５はクレセント位置確認用近接スイッチ配置部の斜視図である。
【００１３】
図１において、１は既設の引き違い開閉式サッシにおける一方のサッシ、２は引き違い開閉式サッシの他方のサッシであり、その両サッシ１，２の全閉位置で互いに隣接するサッシ縦枠１ａ，２ａにおいて、一方のサッシ縦枠１ａにはクレセント台座３を介してクレセント４が回動自在に軸支され、他方のサッシ縦枠２ａには、前記クレセント４を係脱自在に掛止させるフック状のクレセント掛止部材５が取り付けられている。ここで、クレセント４が回動自在に軸支されたクレセント台座３は、図２に示すように、ネジＮ１で前記一方のサッシ縦枠１ａに着脱可能に止着されている。
【００１４】
そして、前記一方のサッシ縦枠１ａにおけるクレセント４の上方近傍には、当該クレセント４を掛止位置でさらに電動ロックするための電動補助錠装置６と、その電源となる乾電池７が組み付けられている。なお、乾電池７は、例えば前記一方のサッシ１の窓ガラスに組み付けられた太陽電池８に置き換えることも可能である。
【００１５】
また、電動補助錠装置６の電源は、例えば家庭用電源からとることも可能である。この場合、例えば図１に示すように、サッシ取付枠（外枠）Ｆに電源接続用ソケット９を組み付けて定位置に保持させ、その電源接続用ソケット９をコンデンサ１０に電気的に接続し、このコンデンサ１０には家庭用の電源コンセント（図示せず）に差し込み接続するための電源プラグ１１を電気的に接続しておく。また、前記一方のサッシ１における上枠１ｂには、図６Ａ，Ｂに示すように、サッシ１の開閉動作で前記電源接続用ソケット９に挿脱される電源接続用プラグ１２を組み付け、サッシ１の閉じ位置で前記電源接続用プラグ１２が前記電源接続用ソケット９に差し込み接続される構成とすることにより、前記電動補助錠装置６の電源を家庭用電源からとることが可能となる。
【００１６】
なお、前記電源接続用ソケット９はサッシ取付枠ｆに、また前記電源接続用プラグ１２はサッシ１の上枠１ｂにネジ止め又は両面接着テープで固定する。また、前記電源接続用プラグ１２は、前記電源接続用ソケット９に吸着させるための磁石１３（図６参照）を設けたものとすることが好ましい。
【００１７】
次に、前記電動補助錠装置６の具体的構成について以下に説明する。
この電動補助錠装置６は、補助錠取付部材としての筐体１４を備え、この筐体１４内に電動補助錠機構２０（図２〜図４参照）を組み付けた構成となっている。さらに詳しく述べると、前記筐体１４は、前記サッシ縦枠１ａとクレセント台座３との間に下端側を挟み込んでサッシ縦枠１ａに固定するベース部１５と、このベース１５に一体で側面が開放されたカバー部１６とからなっている。ここで、前記ベース部１５は、前記カバー部１６から下方に延びる垂下片部１５ａを有しており、この垂下片部１５ａには縦方向の長穴１５ｂ（図２（Ａ）参照）が設けられている。
【００１８】
この実施の形態１において、前記筐体１４は、そのベース部１５の垂下片部１５ａが長穴１５ｂを介してクレセント台座３取付用のネジＮ１でクレセント台座３ともどもサッシ縦枠１ａに対して共締め固定されるようになっている。したがって、前記筐体１４はサッシ縦枠１ａに対して高さ調整可能な取付構成となっており、その高さ調整後の前記ネジＮ１による前記垂下片部１５ａとクレセント台座３のサッシ縦枠１ａへの共締め固定後に前記筐体１４の上端部がネジＮ２でサッシ縦枠１ａに締付け固定されるようになっている。なお、前記筐体１４は、そのベース部１５をサッシ縦枠１ａに両面接着テープ１７で接着した後、前記ベース部１５の垂下片部１５ａをクレセント台座３ともどもサッシ縦枠１ａにネジＮ１で共締め固定してもよい。この場合、前記筐体１４の上端部の止めネジＮ２を省いてもよい。
【００１９】
このような筐体１４の内側には警報用センサ１８が取り付けられている。この警報用センサ１８は、防犯者が筐体１４をサッシ縦枠１ａから取り外そうとすると作動してブザー等のような警報器（図示せず）を稼働させるものである。また、前記筐体１４内にはブザー用の予備バッテリ１８Ａが装備してある。このよりバッテリ１８Ａは、電源接続系統の配線が切られた時にブザー用受信機へ電波を送るためのものである。さらに前記筐体１４内において、そのベース部１５には電動補助錠機構２０を組み付けるためのブラケット１９が一体に設けられている。
【００２０】
電動補助錠機構２０は、クレセント掛止部材５に対するクレセント４の掛止を検知してモータ起動信号を出力するクレセント位置確認センサ２１と、このクレセント位置確認センサ２１の出力信号で起動する電動式のギヤモータ（電動モータ）２２と、このギヤモータ２２の出力軸にカップリング（動力伝達機構）２３を介して連動するスクリューロッド（動力伝達機構としてのネジ棒）２４と、このスクリューロッド２４に螺合した昇降可能な閂２５と、当該閂２５の上限位置および下限位置を確認して前記ギヤモータ２２の停止信号を出力するモータ停止用スイッチとしての上限リミットスイッチ２６および下限リミットスイッチ２７とを備えている。
【００２１】
さらに詳しく述べると、前記クレセント位置確認センサ２１は、図２（Ａ）に示すように、クレセント掛止部材５に掛止している時のクレセント４の非回転側で当該クレセント４の操作レバー部４ａに沿った位置に配置される近接スイッチからなって前記筐体１４に予め組み付けユニット化されている。また、前記操作レバー部４ａの前記クレセント位置確認センサ２１との対向面部には、図２（Ａ）および図５に示すように、両面接着テープ２８で板状の磁石２９が張設されている。
【００２２】
前記ギヤモータ２２は、筐体１４のベース部１５のブラケット１９にネジＮ３で着脱可能に締付け固定されている。
前記カップリング２３は、前記ギヤモータ２１の出力軸に嵌着したハブ２３ａと、前記スクリューロッド２４の上端に嵌着したハブ２３ｂとを着脱可能に凹凸嵌合させた構成となっている。
前記スクリューロッド２４は上端側が非ネジ部となっており、その非ネジ部が筐体１４内にてベース部１５のブラケット１９側に定位置回転自在に支持されている。そのスクリューロッド２４に閂２５が螺合しており、この閂２５に設けられた回り止め部位３０（図２（Ｂ）および図４参照）が昇降ガイド用のシャフト３１に昇降自在に嵌め込まれている。また、閂２５の上端側には側方に突出するスイッチ押動用ピン３２が設けられている。
【００２３】
また、筐体１４内において、ベース部１５のブラケット１９には、前記上限リミットスイッチ２６が組み付けセットされた上限スイッチ台座３３と、前記下限リミットスイッチ２７が組み付けセットされた下限スイッチ台座３４がそれぞれ高さ調整可能に取り付けられている。すなわち、前記上限スイッチ台座３３および下限スイッチ台座３４の前記ブラケット１９に対する取り付け部には縦長の長穴３３ａ，３４ａ（図２（Ｂ）および図４参照）がそれぞれ設けられ、それらの長穴３３ａ，３４ａを介してネジＮ４，Ｎ５で前記各スイッチ台座３３，３４が前記ブラケット１９に締付け固定されている。したがって、前記各スイッチ台座３３，３４は高さ調整可能である。
【００２４】
次に、引き違い開閉式サッシに対する電動補助錠装置６の取り付けについて説明する。その取り付けに際しては、予め筐体１４内に電動補助錠機構２０と警報用センサ１８を組み付けてユニット化しておく。そして、一方のサッシ縦枠１ａに取り付けられているクレセント台座３の止めネジＮ１を取り外す。これによりクレセント台座３を取り外した後、前記筐体１４のベース部１５の垂下片部１５ａを前記クレセント台座３によって前記サッシ縦枠１ａとの間で挟み込む。その状態で前記垂下片部１５ａとクレセント台座３とを止めネジＮ１でサッシ縦枠１ａに共締め固定する。この場合、必要に応じて筐体１４のベース部１５を両面接着テープ１７でサッシ縦枠１ａに接着したり、筐体１４の上端部を止めネジＮ２でサッシ縦枠１ａに締付け固定することもできる。一方、クレセント４の操作レバー部４ａには両面接着テープ２８で板状の磁石２９を接着する。
以上のようにして、上記実施の形態１による電動補助錠装置６が既設の引き違い開閉式サッシに後付けされ、その後付けは１本のドライバーで簡単に行うことができる。
【００２５】
次に動作について説明する。なお、図７（Ａ）はクレセント解除状態での動作説明図、図７（Ｂ）は図７（Ａ）の側面図であり、図２（Ａ），（Ｂ）はクレセント掛止状態を示す。
図１中のサッシ１，２を全閉しクレセント４を掛けた状態（図２の状態）において、リモコン（図示せず）の閉ボタンを押すと、まずクレセント位置確認センサ２１が働き、クレセント４の操作レバー部４ａがクレセント位置確認センサ２１に近接した位置にあることを確認すると、前記クレセント位置確認センサ２１からの出力信号（モータ起動信号）によりギヤモータ２２が施錠方向に回転起動する。その回転力がカップリング２３を介してスクリューロッド２４に伝達され、当該スクリューロッド２４が定位置で回転することにより、これに螺合し且つシャフト３１で回り止めされた閂２５がシャフト３１に沿って下降する。
【００２６】
その閂２５が、掛止位置にあるクレセント４の掛止解除方向の回動を規制すべく当該クレセント４の操作レバー部４ａに沿った位置まで下降してくると、その時点で閂２５のスイッチ押動用ピン３２が下限リミットスイッチ２７をＯＮすることによりギヤモータ２２が停止する。この状態において、クレセント４を掛止解除方向に回動しようとすると、そのクレセント４の操作レバー部４ａと閂３５とが干渉し合ってクレセント４の回動が阻止されるため、信頼性の高い防盗性が得られる。また、無理に筐体１４を取り外したり壊したりすると、警報用センサ１８が作動して警報器が働くことにより、防盗性を確保できる。
【００２７】
このようなクレセント４のロック状態からリモコンの開ボタンを押すと、ギヤモータ２２が解錠方向に回転起動し、カップリング２３を介してスクリューロッド２４を定位置で解錠方向に回転駆動することにより、閂２５が上昇移動する。そして、閂２５がクレセント操作レバー部４ａとの係合解除（干渉解除）位置まで上昇してくると、閂２５のスイッチ押動用ピン３２が上限リミットスイッチ２６をＯＮすることにより、ギヤモータ２２が停止し、閂２５がクレセント操作レバー部４ａとの係合解除位置に保持される。したがって、その状態ではクレセント４を通常通りに掛止解除方向へ回動させることができ、その掛止解除によってサッシ開放を行うことができる。
【００２８】
次に、クレセント操作レバー４ａが上述のように閂２５でロックされたサッシ全閉状態において、停電やギヤモータ２２が故障した時のサッシ非常開放について説明する。この場合、筐体１４の側面等の開放部からドライバー等でギヤモータ２２の取り付けネジＮ３を外してギヤモータ２２を持ち上げれば、図３，図４に示すように、カップリング２３（モータ側ハブ２３ａとスクリューロッド２４側のハブ２３ｂ）が外れるので、スクリューロッド２４側のハブ２３ｂを手動で回転させれば、閂２５が上昇することにより、クレセント４を掛止解除方向に回すことができる。
【００２９】
実施の形態２．
図８はこの発明の実施の形態２による電動補助錠装置の筐体を断面して内部機構を表出させた拡大構成説明図、図９は図８の側面図、図１０は図８中のクレセント位置確認用リミットスイッチ配置部の拡大斜視図であり、図１から図７と同一構成要素には同一符号を付して重複説明を省略する。
上記実施の形態１では、クレセント位置確認用センサ２１として近接スイッチを適用したが、この実施の形態２では、その近接スイッチに変えてリミットスイッチ３５をクレセント位置確認用センサとして適用したものである。
【００３０】
このようにクレセント位置確認用センサとしてリミットスイッチ３５を適用したことにより、クレセント操作レバー部４ａには両面接着テープ２８でスイッチ押動用プレート３６を取り付けている。
したがって、この実施の形態２にあっても、上記実施の形態１の場合と同様の作用効果が得られる。
【００３１】
実施の形態３．
図１１はこの発明の実施の形態３による閂の回り止め構造を示す斜視図である。
この実施の形態３では、閂２５が断面四角形状の場合に、その閂２５の回り止め手段として、例えば筐体１４の底壁部や当該筐体１４と一体のアーム部材１４ａに四角形状の角穴１４ｂを設け、この角穴１４ｂに閂２５を昇降自在に嵌挿したものである。
このような実施の形態３によれば、極めて簡単な構造で閂２５の回り止めを実現でき、上記実施の形態１における閂回り止め用のシャフト３１を省くことができて部品点数を削減できるとともに、スクリューロッド２４の定位置回転によって閂２５をスムーズに昇降させることができる。
【００３２】
実施の形態４．
図１２はこの発明の実施の形態４による閂の回り止め構造を示す斜視図である。
この実施の形態４では、閂２５が断面円形状の場合に、その閂２５の回り止め手段として、上記実施の形態３の場合と同様に、例えば筐体１４の底壁部や当該筐体１４と一体のアーム部材１４ａに円形穴１４ｃを設け、この円形穴１４ｃの内周に係合突起１４ｄを一体形成するとともに、閂２５の外周には軸方向溝２５ａを設け、この軸方向溝２５ａを前記係合突起１４ｄに摺動自在に嵌め込むことによる所謂スプライン係合構造としたものである。このような実施の形態４にあっても、上記実施の形態３と同様の作用効果が得られる。
【００３３】
実施の形態５．
図１３はこの発明の実施の形態５による閂の回り止め構造を示す斜視図である。
この実施の形態５では、閂２５を断面楕円形状とした場合であり、その閂２５の回り止め手段として、筐体１４の底壁部や当該筐体１４と一体のアーム部材１４ａに楕円穴１４ｅを設け、この楕円穴１４ｅに閂２５を昇降自在に嵌挿したものである。
このような実施の形態５によっても、上記実施の形態３の場合と同様に、極めて簡単な構造で閂２５の回り止めを実現でき、上記実施の形態１における閂回り止め用のシャフト３１を省くことができて部品点数を削減できるとともに、スクリューロッド２４の定位置回転によって閂２５をスムーズに昇降させることができるという作用効果が得られる。
【００３４】
なお、上記各実施の形態では、筐体１４のベース部１５とカバー部１４が一体のものについて説明したが、前記筐体１４は、ベース部１５とカバー部１６が別体構成のものであってもよい。この場合、前記カバー部１６は、少なくとも上端側をネジＮ２でサッシ縦枠１ａに締付け固定するものである。なお、前記カバー部材１６はネジＮ２を使わずにサッシ縦枠１ａに押圧する方向にプッシュするだけサッシ縦枠１ａに係合保持させる構成とすることも可能である。この場合、カバー部材１６をサッシ縦枠１ａにプッシュ係合させた後、さらにプッシュすることでカバー部材１６とサッシ縦枠１ａとの係合を解除する構成とすることも可能である。
【００３５】
【発明の効果】
以上のように、この発明によれば、クレセント掛止部材に掛止したクレセントの操作レバー部に沿って当該クレセントの掛止解除方向への回転を阻止すべく前記操作レバー部に干渉係合する係合位置およびその係合位置から後退する係合解除位置とに移動可能な閂と、この閂を前記操作レバー部に対する係合位置と係合解除位置とに動力伝達機構を介して昇降駆動する電動モータとからなる構成としたので、クレセントを掛止位置にて電動式の閂によって確実かつ堅固にさらに電動ロックすることができる防盗性に優れたサッシクレセント回転防止型後付け電動補助錠装置を提供できるという効果がある。
【００３６】
また、この発明によれば、閂を昇降駆動する電動モータは遠隔操作できるので、たとえ手が不自由な人達であってもクレセントの施錠・解錠操作を簡単に行うことができるという効果がある。
【００３７】
さらに、この発明によれば、閂を駆動する電動モータがギヤモータからなり、このギヤモータで回転駆動されるスクリューロッドに閂を螺合した構成としたので、ギヤモータとスクリューロッドとによる閂のインターロック機能を発揮させることができ、このため、閂を人為的操作で濫りに上昇させることができず、信頼性の高い防盗性が得られるという効果がある。
【００３８】
さらに、この発明によれば、クレセント掛止部材に対するクレセントの掛止を検知して当該クレセントとの干渉方向に閂を昇降駆動すべく電動モータを起動させるクレセント位置確認センサを備える構成としたので、クレセント掛止解除状態で閂を下降作動させるような誤操作を未然に防止できるという効果がある。
【００３９】
さらに、この発明によれば、クレセントの操作レバー部に対する電動閂の係合位置および係合解除位置でＯＮ動作して電動モータを自動停止させるモータ停止スイッチを備える構成としたので、モータ等の故障を未然に防止できると共に、閂系統を常時スムーズに作動させることができると共に、ＩＴ制御をも可能にできるという効果がある。
【図面の簡単な説明】
【図１】この発明の実施の形態１によるサッシクレセント回転防止型後付け電動補助錠装置を備えた引き違い開閉式サッシを示す正面図である。
【図２】図２（Ａ）は図１中の電動補助錠装置の筐体を断面して内部機構を表出させた拡大構成説明図、図２（Ｂ）は図２（Ａ）の側面図である。
【図３】図２中の電動モータを閂から分離した状態を示す断面図である。
【図４】図３の側面図である。
【図５】クレセント位置確認用近接スイッチ取付部の部分的な斜視図である。
【図６】図１中の家庭用電源接続系統を示す拡大図であって、図６（Ａ）はサッシ開放に伴って電源接続用プラグが電源接続用ソケットから離脱した状態を示し、図６（Ｂ）はサッシ閉じ位置で電源接続用プラグが電源接続用ソケットに差し込み接続された状態を示す。
【図７】図７（Ａ）はクレセント解除状態での動作説明図、図７（Ｂ）は図７（Ａ）の側面図である。
【図８】この発明の実施の形態２による電動補助錠装置の筐体を断面して内部機構を表出させた拡大構成説明図である。
【図９】図８の側面図である。
【図１０】図１０は図８中のクレセント位置確認用リミットスイッチ配置部の拡大斜視図である。
【図１１】この発明の実施の形態３による閂の回り止め構造を示す斜視図である。
【図１２】この発明の実施の形態４による閂の回り止め構造を示す斜視図である。
【図１３】この発明の実施の形態５による閂の回り止め構造を示す斜視図である。
【符号の説明】
１，２  サッシ
１ａ，２ａ  サッシ縦枠
１ｂ  サッシ上枠
３  クレセント台座
４  クレセント
４ａ  操作レバー部
５  クレセント掛止部材
６  電動補助錠装置
７  乾電池
８  太陽電池
９  電源接続用ソケット
１０  コンデンサ
１１  電源プラグ
１２  電源接続用プラグ
１３  磁石
１４  筐体
１４ａ  筐体底壁部またはアーム部材
１４ｂ  角穴
１４ｃ  円形穴
１４ｄ  係合突起
１４ｅ  楕円穴
１５  ベース部
１５ａ  垂下片部
１５ｂ  長穴
１６  カバー部
１７  両面接着テープ
１８  警報用センサ
１８Ａ  予備バッテリ
１９  ブラケット
２０  電動補助錠機構
２１  クレセント位置確認用センサ（近接センサ）
２２  ギヤモータ（電動モータ）
２３  カップリング
２３ａ，２３ｂ  ハブ
２４  スクリューロッド
２５  閂
２５ａ  軸方向溝
２６  上限リミットスイッチ（モータ停止用スイッチ）
２７  下限リミットスイッチ（モータ停止用スイッチ）
２８  両面接着テープ
２９  磁石
３０  回り止め部位
３１  シャフト
３２  スイッチ押動用ピン
３３，３４  スイッチ台座
３３ａ，３４ａ  長穴
３５  リミットスイッチ（クレセント位置確認用センサ）
３６  スイッチ押動用プレート
【図１】
2004316172.tif 000003
【図２】
2004316172.tif 000004
【図３】
2004316172.tif 000005
【図４】
2004316172.tif 000006
【図５】
2004316172.tif 000007
【図６】
2004316172.tif 000008
【図７】
2004316172.tif 000009
【図８】
2004316172.tif 000010
【図９】
2004316172.tif 000011
【図１０】
2004316172.tif 000012
【図１１】
2004316172.tif 000013
【図１２】
2004316172.tif 000014
【図１３】
2004316172.tif 000015